【事件の表示】
　特願２００６−２４５４９２「記録装置及びインクカートリッジ」拒絶査定不服審判事件〔平成１８年１１月３０日出願公開、特開２００６−３２１２４７〕について、次のとおり審決する。
【結　論】
　本件審判の請求は、成り立たない。
【理　由】
１　手続の経緯・本願発明
（１）手続の経緯
　本願は、平成１４年８月１日に出願した特願２００２−２２５２９４号の一部を平成１８年９月１１日に新たな特許出願としたものであって、平成２０年１１月２８日及び平成２１年４月２７日に手続補正がなされ、同年７月６日付けで拒絶査定がなされ、これに対して、同年１０月１９日に拒絶査定不服審判が請求されたものである。
　
（２）本願発明
　本願の請求項１ないし１０に係る発明は、平成２１年４月２７日付け手続補正によって補正された明細書、特許請求の範囲及び図面の記載からみて、その特許請求の範囲の請求項１ないし１０に記載された事項により特定されるものであるところ、その請求項１において、「該
操作片を
前記側壁近傍
位置
突出させ
操作片
その近傍の前記側面
　
「記録装置本体のインクカートリッジ装着部は、外部に水平方向に開口する開口部、水平方向に延びる底面、天井面及び側面を有し、インクカートリッジのインク供給孔と接続して記録ヘッドにインクを供給する中空針を前記開口部と対向する位置に配置し、さらに、前記中空針を前記開口部に対して開閉可能に覆う針保護板、その針保護板よりも前記開口部側に位置し該針保護板を前記中空針に対向した閉鎖状態にするロック部材を有し、
　前記底面からインクカートリッジ装着部に突出する突出状態と該突出状態よりも底面側に沈む沈下状態を取りえるとともに、該沈む状態のときに前記針保護板を開放可能状態にするように前記ロック部材を操作する操作片を前記ロック部材の端部に備え、該操作片を、前記中空針の中心軸線の延長方向から前記底面と平行な方向にずれて前記
側面
　前記インクカートリッジ装着部に着脱可能に装着されるインクカートリッジは、前記底面に当接して前記開口部から前記中空針の位置する側に滑らせることが可能な下面、前記中空針と接続可能なインク供給孔を有する前面を有し、さらに該インクカートリッジは、前記インク供給孔から前記下面と平行な方向にずれた位置に前記突壁を収容する、前記前面及び下面側に開口したガイド用溝を備え、前記前面側からみて、前記ガイド用溝から前記ずれた方向に隣接した位置に前記操作片を前記突出状態と前記沈下状態との間で変化させるよう操作する操作部を設けたことを特徴とする記録装置。」（以下「本願発明」という。）
　
２　刊行物の記載事項
（１）原査定の拒絶の理由に引用された「本願の出願前に頒布された刊行物である特開平３−１８４８７３号公報（以下「引用例１」という。）」には、図とともに次の事項が記載されている。
　ア　「（２）装置本体と着脱式のインクカートリッジとを針とゴム栓から成るインク供給部を介して接続するインクジェット記録装置において、装置本体側に、
インクカートリッジの脱着に連動する爪部材でロックされる針保護部材を設け、インクカートリッジ抜き取り時には前記針保護部材を突出させて前記針の先端を保護し
インクカートリッジ挿入時には前記針保護部材が解除され
　
　イ　「〔産業上の利用分野〕
　本発明は、プリンタ、印刷機、または複写機等の記録装置において、インク等を収納したカートリッジを用いて記録を行う型式のものに係わり、詳しくは、このような記録装置における着脱式の複数個のカートリッジを装着する時の抜け防止手段、並びにインクジェット記録装置における着脱可能なインクカートリッジと本体との連結部に当たる中空針の危険防止構造に関する。」（１頁左下欄２０行〜同頁右下欄８行）
　
　ウ　「第９図は、
従来のインクジェット記録装置におけるインク供給用の中空針の針危険防止構造
　第９図において、
着脱式のインクカートリッジ２２１は記録装置本体の挿入口２００から差し込まれ、カートリッジ２２１の両側に設けられたレール２１３に沿って挿入される。カートリッジ２２１の進入に伴って、レール２１３に形成された解除用の山部２１３Ａが外側へ押され、爪２１３Ｂも蓋（針保護部材）２１２から離れていく
　
やがて、カートリッジ２２１の前面で蓋２１２を開き、そのゴム栓が中空針２１１に刺さった後、該カートリッジ２２１が針受け台２１４に衝当することにより、該カートリッジ２２１の本体への装着が完了する
　
インクカートリッジ２２１を抜去（取り外し）する際は、カートリッジ２２１を引き出すに従って回動自在の蓋２１２は捩じりコイルばね２１６のばね力で閉状態に戻され、やがて、インクカートリッジ２２１が完全に引き出されると、爪２１３Ｂも復帰して蓋２１２は図示の閉位置にロックされる
　
　エ　「また、
第９図の従来構成においては、インクジェット記録装置のカラー化に伴ない、複数個のヘッドに合わせて複数個のインクカートリッジ２２１を搭載する場合、装置本体側のインク受入れ口である針の複数化やインクカートリッジ２２１の複数化に伴う挿入部間口の増大により、前記インク供給用の中空針２１１の先端が使用者の指先などに触れやすい傾向になっていた
　
この場合、カートリッジ２２１挿入口に単一の防護壁を設ける方法では、複数個の針２１１の危険防止にならないことが多かった
　
　オ　「請求項２の発明は、以上述べた第９図の従来構成の技術的課題に鑑みてなされたものであり、
複数個の装置本体側のインク供給用の中空針２１１の近傍に、それぞれ、
（針保護部材）を設置し、インクカートリッジ２２１の挿入個数にかかわらず、針２１１の先端を保護し、使用者の危険を無くすことを目的とする
　
　カ　「また、請求項２の発明は、装置本体と着脱式のインクカートリッジとを中空針とゴム栓から成るインク供給部を介して接続するインクジェット記録装置において、装置本体側に、インクカートリッジの脱着に連動する爪部材でロックされる針保護部材を設け、インクカートリッジ抜き取り時には前記針保護部材を突出させて前記針の先端を保護し、インクカートリッジ挿入時には前記針保護部材が解除される構成により、インクカートリッジの挿入個数にかかわらず、針の先端を保護して使用者の危険を無くすことができ、しかも、
前記針に対して直進しながら直角に刺さり、挿入時のインクカートリッジの姿勢を制御し、容易かつ正確な装着を実現し得る
　
　キ　「請求項２の発明の実施に際しては、
装置本体側に、インクカートリッジの脱着に連動する爪部材でロックされる針保護部材を設け、インクカートリッジ抜き取り時には前記針保護部材を突出させて前記針の先端を保護し、インクカートリッジ挿人時には前記針保護部材が解除されるように構成する
インクカートリッジの挿入個数にかかわらず、針の先端が保護され、使用者の指等が前記針に触れることは無く
　
　ク　「さらに、本発明は、記録ヘッドおよびインクカートリッジを記録装置に固定して（審決注：「仕手」は「して」の明らかな誤記であるので訂正して摘記した。）使用するラインプリント式の記録装置においても、同様に実施することができる。」（５頁左上欄１９行〜同頁右上欄２行）
　
　ケ　「第５図は請求項２の発明の第１実施例に係わるインクカートリツジの装着部の構造を示す斜視図である。
　第５図において、２１はインクカートリッジ、１１はインクカートリッジ２１内に装着された可撓性材質のインク袋、１２はカートリッジ２１のインク流出口となるゴム栓、１４は本体側のインク受け入れ口となるインク供給用の中空針、５１は記録ヘッド１１４ヘインクを導くインク供給管、５２は針１４の先端を保護するとともに使用者の危険を防止するための防護壁を形成する回動自在な針保護部材（針覆い板）、
５３は針覆い板（針保護部材）５２が針先端位置を維持するためのラッチ部材を構成する板ばね状の掛け金具（爪部材）
３３はインクカートリッジ２１の通路になる本体レール、
　インクカートリッジ２１が本体内に無い時、針覆い板（針保護部材）５２はヒンジ部５２Ａのばね力と補強ばね５４のばね力により、
針先端を覆った状態にある
　
針覆い板５２の最下端部はばね力により起き上がった掛け金具（爪部材）５３の爪部５３Ａに係合し
　インクカートリッジ２Ｉの凹部２１Ａは、インクカートリッジ２１を挿入する際、本体レール３３の内側を滑る。
　掛け金具５３の反力よりも強い力でインクカートリッジ２１を下方へ押すことにより、インクカートリッジ２１はレール部３３の表面を滑るように挿入される。
　その際、掛け金具５３は、インクカートリッジ２１下面により押し下げられ、爪部５３Ａは針覆い板５２を押しながら進み、露出した針１４の先端はゴム栓１２に刺さり、インクカートリッジ２１はその最前部が針受け台５５と衝当して止まる。
　その時、ストッパ３１は、ばね力で跳ね上がり、ロック状態になる。
　インクカートリッジ２１の抜去は、ストッパ３１を押し下げながら、取っ手２２を持って行なう。
　インクカートリッジ２１の後退とともに、針覆い板５２はヒンジ部５２Ａのばね力と補強ばね５４の反力により競り出て、掛け金具５３は徐々に上がる。
　ゴム栓１２から針１４が完全に抜け出た状態でも、掛け金具の爪部５３Ａは針覆い板５２の最下端部に係合する状態までは復帰していない。
　インクカートリッジ２１が完全に本体から抜け切る状態にて初めて掛け金具５３は完全復帰の状態となり、針覆い板５２は再び図示のように爪部５３Ａでロックされる。」（５頁右上欄２０行〜６頁左上欄１９行）
　
　コ　第９図の記載から、従来のインクジェット記録装置に関する次の（ア）及び（イ）のことが見て取れる。
（ア）インクジェット記録装置本体について、
　ａ　２点鎖線で描かれている
記録装置本体の中に
インクカートリッジ挿入口
　ｂ　
インクカートリッジ挿入口２００は、外部に水平方向に開口する挿入部と、水平方向に延びる底面、天井面及び両内側面から成る内周面と、記録装置本体側のインク受け入れ口となり、インクカートリッジ２２１のインク流出口となるゴム栓と接続してインク供給管（第５図の「５１」参照。）を介して記録ヘッドヘインクを導くためのインク供給用の中空針２１１及び中空針を設置する針受け台２１４を備え前記挿入部に対向する位置に配置されている連結部とを有し
　ｃ　
インクカートリッジ挿入口２００は、さらに、前記中空針２１１を前記挿入部に対して開閉可能に覆う蓋（針保護部材）２１２と、その蓋（針保護部材）２１２よりも前記挿入部側に位置し、解除用の山部２１３Ａ及びロック用の爪２１３Ｂが形成され、レールの機能を兼ね、しかもインクカートリッジ挿入口２００の両内側面において、前記蓋（針保護部材）２１２を前記中空針２１１に対向した閉位置にロックする、インクカートリッジ２２１の脱着に連動するレール２１３とを有している
　ｄ　
前記レール２１３は、前記インクカートリッジ挿入口２００の前記両内側面に設けられており、前記挿入部側から前記中空針２１１が配置されている連結部側に向かって前記インクカートリッジ２２１が前記インクカートリッジ挿入口２００に装着される際の挿入方向と平行な方向に延びるとともに該両内側面から突出している
　ｅ　
前記中空針２１１は、インクカートリッジ挿入口２００の中央よりも右側にずれて配置されている
　ｆ　前記レール２１３は
前記解除用の山部２１３Ａがインクカートリッジ２２１の前面端部により操作され
　ｇ　
前記解除用の山部２１３Ａは、前記両内側面からインクカートリッジ挿入口２００内に突出する突出状態とレール２１３に沿って挿入されるカートリッジ２２１の進入に伴って外側に押され前記突出状態よりも両内側面側に沈む沈下状態を取り得るものであり、該沈下状態のときに前記針保護板を開くようになっている
　
（イ）インクカートリッジについて、
　ａ　
インクカートリッジ２２１は、扁平な直方体であって、その上面及び下面はほぼ正方形であり、その挿入方向に関する前面及び後面と両外側面はほぼ長方形である
　ｂ　
前記中空針２２１の位置からみて、インクカートリッジ２２１のインク流出口となる、前記中空針２２１と接続可能なゴム栓は、インクカートリッジ２２１の前面の中央よりもインクカートリッジの挿入方向に見て右側にずれて配置されている
　ｃ　
インクカートリッジ２２１は、前記中空針２２１の位置からみて、該中空針２２１と接続可能なゴム栓から前記下面と平行な方向にずれた位置であることが明らかな両側の位置に、それぞれ、前記レール２１３を収容する溝２２１Ａを備えている
　ｄ　インクカートリッジ２２１の
前記溝２２１Ａは、前記前面及び外側面側に開口している
　ｅ　前記解除用の山部２１３Ａを操作するインクカートリッジ２２１の
前記前面端部（上記（ア）ｆ参照。）は、前記溝２２１Ａ底面及び前記前面が成す角部
該角部が、前記突出状態と前記沈下状態との間で変化させるように前記解除用の山部２１３Ａを操作する
　
　サ　第５図の記載から、引用例１に記載された「請求項２の発明」のインクジェット記録装置に関する次の（ア）及び（イ）のことが見て取れる。
（ア）インクジェット記録装置本体について、
　ａ　インクカートリッジ挿入口は、外部に水平方向に開口する挿入部、水平方向に延びる底面、天井面（２点鎖線で描かれている）及び両内側面から成る内周面と、記録装置本体側のインク受け入れ口となり、インクカートリッジ２１のインク流出口となるゴム栓と接続してインク供給管５１を介して記録ヘッドヘインクを導くためのインク供給用の中空針１４及び前記中空針１４を設置する針受け台５５を備え、前記中空針１４及び前記インク供給管５１は、４個のインクカートリッジ２１を装着できるように前記針受け台５５に４組設置されて４つの個別連結部を構成し、各個別連結部は前記挿入部に対向する位置に配置されており、
４個のインクカートリッジ２１のそれぞれに対応して、４つの個別挿入口に区分され、外側の個別挿入口の内側の端部及び内側の個別挿入口の両端部の内側面は区分されただけであるから内側面を構成する壁はない
　ｂ　
針保護部材を閉位置にラッチするラッチ部材（即ち、針保護部材を閉位置にロックする機能を有するロック部材）は、板ばね状の掛け金具（爪部材）５３であり、インクカートリッジ２１の通路になる部材（即ち、レール機能を有するレール部材）は本体レール３３であって、第９図に記載されている従来のインクジェット記録装置において両機能を兼ねていたレール２１３とは異なり、ロック部材とレール部材は別部材である
　ｃ　
個別挿入口には設けるべき壁がない内側面もあるので、
レール２１３とは異なり、別部材としたロック部材及びレール部材（上記ｂ参照。）を設ける箇所を各個別挿入口の底面に変更し、レール機能を分離した前記本体レール３３は個別挿入口の底面に設けられており、該本体レール３３は個別挿入口の左右に位置する第１及び第２案内レールで構成されており、第１及び第２案内レールによりその間の底面に溝が構成されており、該溝によりインクカートリッジの下面に設けられている案内レール２３を規制することによりインクカートリッジ２１のゴム栓１２が対応する中空針１４に対して直進しながら直角に刺さるようにインクカートリッジを案内するようになっている
　
（イ）インクカートリッジについて、
　ａ　インクカートリッジ２１は、幅よりも高さが大である縦型の概略直方体の形状であり、その上面及び下面は上下方向に長い長方形であり、挿入方向に関する前面、後面及び両外側面はいずれも挿入方向に長い長方形であること。
　ｂ　
インクカートリッジ２１の下面は、挿入方向に長い突出部であることが明らかな第３レールであるレール２３と、該レール２３の両側の底が平坦でそれぞれ側面側に開放された溝とからなっている
　
（２）原査定の拒絶の理由に引用された「本願の出願前に頒布された刊行物である特開平１−１４１７５０号公報（以下「引用例２」という。）」には、図とともに次の事項が記載されている。
　ア　「〔従来の技術〕
　インクジェット記録装置（プリンタなど）にあっては、記録ヘッドへインクを供給するインクタンクとして交換可能なインクカートリッジを使用する場合があり、このインクカートリッジは記録装置の所定位置に着脱自在に保持されるようになっている。
　第５図は従来の
インクカートリッジ保持装置
　第５図および第６図において、記録装置にはインクカートリッジ８の挿入をガイドするとともに所定位置に該
インクカートリッジを保持するための
ガイド部材６
　ガイド部材（ガイドブロック）６のガイド部には
インクカートリッジ８がない時にその内部に固定されたインク供給針
手が触れるのを防止するための蓋２
　前記ガイド部材６の両側には、
前記蓋２を直立位置にロックするための弾性変形可能な
ロックアーム
が設けられている
　上記構成において、
インクカートリッジ８がセットされていない時、蓋２は
その突起２０１がロックアーム７の溝７０２に係合され閉じ位置に保持されている
　この状態からインクカートリッジ８を矢印Ｆ方向へ挿入すると、該カートリッジ８の両側に２段に設けたガイド用凸部（ガイドレール）８０１、８０５が左右の
ガイド部材６のガイド溝６０１
　すると、
カートリッジ８のガイドレール８０１の先端部８０４がロックアーム７の先端突起の傾斜面７０３に衝突し、ロックアーム７の
の拡開方向へ弾性変位させる
　その結果、蓋２の突起２０１からロックアーム７の突起７０１が外れ、蓋２はカートリッジ８に押し倒されるようにガイド部材６の軸６０４を中心に回動して収納部６０７に収納される。６０５は蓋２の突起２０１の逃げ溝である。
　インクカートリッジ８をさらに奥に入るとカートリッジロック６０３とカートリッジ８の突起８０２とが噛合い、該インクカートリッジ８はガイド部材（ガイドブロック）６、６に固定される。
　この状態では、カートリッジ８のガイドレール８０１の後端傾斜面８０３がロックアーム７の傾斜面７０３（審決注：「７０１」は「７０３」の明らかな誤記であるので訂正して摘記した。以下同じ。）を通過しており、ロックアーム７は弾性変位する前の元の形状に戻っている。
　次にインクカートリッジ８を外すときは、まずカートリッジロック６０３がカートリッジ８の略半円形状の突起８０２を乗り越え、これと同時に、ロックアーム７の傾斜面７０３がガイド用の凸部（ガイドレール）８０１の後端傾斜面８０３に乗り上げ該ロックアーム７は矢印Ｇ（第６図）拡開方向に弾性変位する。
　さらに、インクカートリッジ８を引き出すと蓋２がバネ３によって起されていき、インクカートリッジ８を完全に引き出すと
蓋２は直立姿勢になり、ロックアーム７が元の状態に戻り、蓋２の突起２０１がロックアーム７の溝７０２に係合し、該蓋２はロックされる
　
　イ　第５図及び第６図の記載から、次のことが見て取れる。
（ア）
インクカートリッジ８がない時にインクカートリッジ保持装置の内部に固定されたインク供給針に手が触れるのを防止するための蓋２を直立位置にロックするための弾性変形可能なロックアーム７は、２つのガイドレール状の厚肉部に挟まれ、インクカートリッジ８の挿入方向の中央部がスリット状の貫通孔となっている溝状の薄肉部において、ガイド部材６の外側から設けられている
（イ）前記
ロックアーム７は、先端に先端突起７０１を有している
（ウ）前記
先端突起７０１は、インクカートリッジ８がセットされていない時、前記蓋２の突起２０１に係合して該蓋２を閉じ位置に保持する溝７０２と、カートリッジ８のガイドレール８０１の先端部８０４が衝突してロックアーム７を拡開方向へ弾性変位させる傾斜面７０３を備えた先端突起７０１とを有している
（エ）前記
ロックアーム７は、ガイド部材の外側から前記先端突起７０１がガイド溝６０１の底面であるガイド部材の薄肉部表面上の位置から前記インクカートリッジ装着部に突出状態となるよう突出させて設けらている
（オ）前記
ロックアーム７の傾斜面７０３を備えた先端突起７０１は、インクカートリッジ８がセットされていないときは、ロックアーム７の先端突起７０１が前記スリット状の貫通孔を介して、該貫通孔が形成されているガイド溝６０１の底面であるガイド部材の薄肉部表面からインクカートリッジ保持装置の内部に突出する突出状態となり、拡開方向へ弾性変位したときには、該突出状態よりもガイド溝６０１の底面側に沈む沈下状態となり、かつ、該沈下状態のときに前記蓋２を開放可能状態にするようにロックアーム７を操作するものである
　
３　刊行物に記載された発明
（１）上記２（１）ウ及びコの記載から、引用例１には、インク供給用の中空針の針危険防止構造を有する従来のインクジェット記録装置として、
「記録装置本体と着脱式のインクカートリッジとからなり、
　前記記録装置本体の中にはインクカートリッジ挿入口が設けられており、
　該インクカートリッジ挿入口は、外部に水平方向に開口する挿入部と、水平方向に延びる底面、天井面及び左右内側面と、前記挿入部に対向する位置に配置され、記録装置本体側のインク受け入れ口となり、インクカートリッジのインク流出口となるゴム栓と接続してインク供給管を介して記録ヘッドヘインクを導くためのインク供給用の中空針と、該中空針を設置する針受け台とを有し、
　前記インクカートリッジ挿入口は、さらに、前記中空針を前記挿入部に対して開閉可能に覆う蓋状の針保護部材と、該針保護部材よりも前記挿入部側に位置し、解除用の山部及びロック用の爪を備え、レールの機能を兼ね、しかもインクカートリッジ挿入口の両側端部において前記針保護部材を前記中空針に対向した閉位置にロックする、インクカートリッジの脱着に連動する第１レールとを有し、
　前記中空針は、インクカートリッジ挿入口の中央よりも挿入する方向からみて右側にずれて配置されており、
　前記第１レールは、前記インクカートリッジ挿入口の前記両内側面に設けられており、前記挿入部側から前記中空針が配置されている側に向かって前記インクカートリッジが前記インクカートリッジ挿入口に装着される際の挿入方向と平行な方向に延びるとともに該両内側面から突出しており、
　前記解除用の山部は、インクカートリッジの前面角部で操作されるとともに、前記内側面からインクカートリッジ挿入口内に突出する突出状態と第１レールに沿って挿入されるインクカートリッジの進入に伴って外側に押され前記突出状態よりも内側面側に沈む沈下状態を取りえるものであり、該沈下状態のときに前記針保護板を開くようになっており、
　前記インクカートリッジは、扁平な直方体であって、その上面及び下面はほぼ正方形であり、その挿入方向に関する前面及び後面と両外側面はほぼ長方形であり、そのインク流出口となる、前記中空針と接続可能なゴム栓が、前記前面の中央よりもインクカートリッジの挿入方向に見て右側にずれて配置されており、前記ゴム栓から前記下面と平行な方向にずれた位置に第１レールを収容する第１溝を備え、該第１溝は、前記前面及び外側面側に開口しており、前記前面角部は、前記第１溝底面及び前記前面が成すものであり、該前面角部が、前記突出状態と前記沈下状態との間で変化させるように前記解除用の山部を操作するようになっており、
　着脱式のインクカートリッジが記録装置本体のインクカートリッジ挿入口に差し込まれ、該インクカートリッジの両側に位置するように前記インクカートリッジ挿入口に設けられた第１レールに沿って挿入されると、インクカートリッジの進入に伴って、第１レールに形成された解除用の山部が外側へ押され、第１レールに形成されたロック用の爪も前記針保護部材から離れていき、やがて、前記インクカートリッジは、その前面で前記針保護部材を開き、インクカートリッジのゴム栓が前記中空針に刺さった後、該インクカートリッジが前記針受け台に衝当することにより、該インクカートリッジの記録装置本体への装着が完了し、インクカートリッジを抜き去って取り外す際は、インクカートリッジを引き出すに従って回動自在の針保護部材は捩じりコイルばねのばね力で閉状態に戻され、やがて、該インクカートリッジが完全に引き出されると、第１レールに形成されたロック用の爪も復帰して針保護部材は閉位置にロックされるようになっている、中空針の危険防止構造を備えたインクジェット記録装置。」の発明（以下「引用発明１」という。）が記載されているものと認められる。
　
（２）上記２（１）のア、イ、エないしケ及びサの記載から、引用例１には、引用発明１を従来のインクジェット記録装置の１つとした上で、
「従来のインクジェット記録装置をカラー化し、それに伴ない記録ヘッドを４個設け、４個設けた記録ヘッドに合わせて４個のインクカートリッジを搭載し、装置本体側のインク受入れ口である中空針も４個にし、インクカートリッジを４個にするのに伴ってインクカートリッジ挿入口の前記挿入部間口を増大するとともに４つの個別挿入口に区分する際に、インクカートリッジ挿入口に単一の防護壁を設ける方法では、４個にした中空針の危険防止にならないことが多く、前記インク供給用の中空針の先端が使用者の指先などに触れやすい傾向になるので、
　装置本体側に４個設けたインク供給用の中空針の近傍に、針先端を覆った状態にロックされ、インクカートリッジ挿入時にはロックが解除される針保護部材を、それぞれ設け、いずれかのインクカートリッジの抜き取り時には、対応する針保護部材を突出させて、対応する中空針の先端を保護し、インクカートリッジの挿入個数にかかわらず、中空針の先端を保護し、使用者の危険を無くすことを目的として、
　外側の個別挿入口の内側の端部及び内側の個別挿入口の両端部の内側面は区分されただけであるから内側面を構成する壁はないので、前記第１レールを設ける箇所を各個別挿入口の底面に変更し、前記針保護部材よりも前記挿入部側に位置する第１レールの機能からロック機能及びレール機能を分離して、インクカートリッジの脱着に連動し、針保護部材が針先端位置を維持するためのラッチ部材を構成する、爪部材を備えた板ばね状の掛け金具をロック機能を有するロック部材として採用し、かつ、インクカートリッジの通路になる本体レールである第１及び第２案内レールを第１レールのレール機能を有する第２レール部材として採用して、前記底面に設けるとともに、インクカートリッジ抜き取り時には針保護部材の最下端部を前記掛け金具の爪部で係合してロックし、前記針保護部材を突出させて前記針の先端を保護し、インクカートリッジ挿人時には対応する前記針保護部材が解除されるように構成することにより、インクカートリッジの挿入個数にかかわらず、針の先端が保護され、使用者の指等が各中空針に触れることを無くすので、各中空針の先端を保護して使用者の危険を無くすことができ、しかも、インクカートリッジのインク流出口となるゴム栓は、対応する中空針に対して直進しながら直角に刺さるように挿入時のインクカートリッジの姿勢が制御され、容易かつ正確な装着を実現し得るように、各インクカートリッジの下面を、第３レール及び第３レールの両側の底が平坦でそれぞれ側面側に開放された溝から構成し、各個別挿入口の底面に設けた第２レール部材でインクカートリッジの両溝の平坦部分を支持し、第２レール部材とその内側の底面との段差によりインクカートリッジのゴム栓１２が対応する中空針に対して直進しながら直角に刺さるようにインクカートリッジを案内するようになされているインクジェット記録装置。」の発明（以下「引用発明２」という。）が記載されているものと認められる。
　
（３）上記２（２）ア及びイからみて、引用例２には、
「インクカートリッジ８を保持するためのガイド部材６と、インクカートリッジ８がない時にインクカートリッジ保持装置の内部に固定されたインク供給針に手が触れるのを防止するための蓋２と、前記蓋２を直立位置にロックするための弾性変形可能なロックアーム７とを有し、前記ガイド部材６には、２つのガイドレール状の厚肉部と、２つの該ガイドレール状の厚肉部に挟まれ、インクカートリッジ８の挿入方向の中央部がスリット状の貫通孔となっている溝状の薄肉部とが備わっており、前記ロックアーム７は、先端に先端突起７０１を有し、該先端突起７０１は、インクカートリッジ８がセットされていない時、前記蓋２の突起２０１に係合して該蓋２を閉じ位置に保持する溝７０２と、カートリッジ８のガイドレール８０１の先端部８０４が衝突してロックアーム７を拡開方向へ弾性変位させる傾斜面７０３を備えた先端突起７０１とを有しており、前記ロックアーム７は、ガイド部材６の外側から前記先端突起７０１がガイド溝６０１の底面であるガイド部材の薄肉部表面上の位置から前記インクカートリッジ装着部に突出状態となるよう突出させて設けらており、前記ロックアーム７の傾斜面７０３を備えた先端突起７０１は、インクカートリッジ８がセットされていないときは、ロックアーム７の先端突起７０１が前記スリット状の貫通孔を介して、該貫通孔が形成されているガイド溝６０１の底面であるガイド部材の薄肉部表面からインクカートリッジ保持装置の内部に突出する突出状態となり、拡開方向へ弾性変位したときには、該突出状態よりもガイド溝６０１の底面側に沈む沈下状態となり、かつ、該沈下状態のときに前記蓋２を開放可能状態にするようにロックアーム７を操作するものである、インクカートリッジ保持装置。」の発明（以下「引用発明３」という。）が記載されているものと認められる。
　
４　対比
　本願発明と引用発明１とを対比する。
（１）引用発明１の「記録装置本体」、「インクカートリッジ挿入口」、「外部に水平方向に開口する挿入部」、「水平方向に延びる底面」、「水平方向に延びる天井面」、「水平方向に延びる左右内側面」、「インクカートリッジ」、「インクカートリッジのインク流出口となるゴム栓」、「記録ヘッド」、「インク」、「中空針」、「蓋状の針保護部材」、「針保護部材を中空針に対向した閉位置にロックする第１レール」、「突出状態」、「沈下状態」、「針保護部材を開くようになっており」、「『第１レール』に備えられ、『インクカートリッジの前面角部』で操作される『解除用の山部』」、「下面」、「前面」、「『解除用の山部』を操作する『インクカートリッジの前面角部』」、「『レールの機能』を兼ねる『第１レール』」、「第１溝」及び「インクジェット記録装置」は、それぞれ、本願発明の「記録装置本体」、「インクカートリッジ装着部」、「外部に水平方向に開口する開口部」、「水平方向に延びる底面」、「水平方向に延びる天井面」、「水平方向に延びる側面」、「インクカートリッジ」、「インク供給孔」、「記録ヘッド」、「インク」、「中空針」、「針保護板」、「ロック部材」、「突出状態」、「沈下状態」、「針保護板を開放可能状態にする」、「ロック部材を操作する操作片」、「下面」、「前面」、「操作部」、「突壁」、「ガイド用溝」及び「記録装置」に相当する。
　
（２）引用発明１の「インクカートリッジ装着部（インクカートリッジ挿入口）」は、「記録装置本体」中に設けられているから、本願発明の「インクカートリッジ装着部」と、「記録装置本体の」ものである点で一致する。
　
（３）引用発明１の「インクカートリッジ装着部」は、「外部に水平方向に開口する挿入部と、水平方向に延びる底面、天井面及び左右内側面と」を有しているから、本願発明の「インクカートリッジ装着部」と、「外部に水平方向に開口する開口部、水平方向に延びる底面、天井面及び側面を有」する点で一致する。
　
（４）引用発明１の「中空針」は、「記録装置本体側のインク受け入れ口となり、インクカートリッジのインク流出口となるゴム栓と接続してインク供給管を介して記録ヘッドヘインクを導くためのインク供給用の」ものであって、「前記挿入部に対向する位置に配置」されるものであるから、本願発明の「中空針」と、「インクカートリッジのインク供給孔と接続して記録ヘッドにインクを供給する」ものである点及び「前記開口部と対向する位置に配置」される点で一致する。
　
（５）引用発明１の「針保護板（針保護部材）」は、「前記中空針を前記挿入部に対して開閉可能に覆う」ものであるから、本願発明の「針保護板」と、「前記中空針を前記開口部に対して開閉可能に覆う」ものである点で一致する。
　
（６）引用発明１の「ロック部材（第１レール）」は、「該針保護部材よりも前記挿入部側に位置し、前記針保護部材を前記中空針に対向した閉位置にロックする」ものであるから、本願発明の「ロック部材」と、「その針保護板よりも前記開口部側に位置し該針保護板を前記中空針に対向した閉鎖状態にする」ものである点で一致する。
　
（７）引用発明１の「インクカートリッジ装着部（インクカートリッジ挿入口）」は、さらに、「針保護板（針保護部材）」と、「ロック部材（第１レール）」とを有しているから、本願発明の「インクカートリッジ装着部」と、「さらに、針保護板、ロック部材を有」する点で一致する。
　
（８）引用発明１において、前記「中空針」は、「インクカートリッジ装着部（インクカートリッジ挿入口」の中央よりも「挿入する方向からみて右側にずれて配置」されており、「ロック部材を操作する操作片（解除用の山部）」は、「『インクカートリッジ挿入口の両側端部』において『前記針保護部材を前記中空針に対向した閉位置にロック』する『「ロック部材（第１レール）』」に備えられ、かつ、「前記内側面からインクカートリッジ挿入口内に突出する突出状態と第１レールに沿って挿入されるインクカートリッジの進入に伴って外側に押され前記突出状態よりも内側面側に沈む沈下状態を取りえるものであり、該沈下状態のときに前記針保護板を開くようになって」おり、引用発明１の「底面」及び「内側面」と本願発明の「底面」及び「側面」とは、いずれも、「インクカートリッジ装着部の内周面」であるといえるから、引用発明１の「ロック部材を操作する操作片」と本願発明の「『前記ロック部材の端部に備え』られ、『前記中空針の中心軸線の延長方向から前記底面と平行な方向にずれて前記側面近傍の前記内周面上の位置から前記インクカートリッジ装着部に前記突出状態となるよう突出させ』てあり、『前記底面からインクカートリッジ装着部に突出する突出状態と該突出状態よりも底面側に沈む沈下状態を取りえるとともに、該沈む状態のときに前記針保護板を開放可能状態にするように前記ロック部材を操作する操作片』」とは、「前記中空針の中心軸線の延長方向から前記底面と平行な方向にずれて前記側面近傍の前記内周面上の位置から前記インクカートリッジ装着部に前記突出状態となるよう突出させ」てある点、「インクカートリッジ装着部の内周面からインクカートリッジ装着部に突出する突出状態と該突出状態よりも内周面側に沈む沈下状態を取りえるとともに、該沈む状態のときに前記針保護板を開放可能状態にするように前記ロック部材を操作する操作片」である点、及び、「ロック部材に備え」られる点で一致する。
　
（９）引用発明１の「インクカートリッジ」は、「着脱式」のものであって、「記録装置本体のインクカートリッジ挿入口に差し込まれ」るものであり、「前面」及び「下面」を備え、「インクカートリッジのインク流出口となるゴム栓」が、「前記前面の中央よりもインクカートリッジの挿入方向に見て右側にずれて配置され」ているものであるから、本願発明の「インクカートリッジ」と、「前記インクカートリッジ装着部に着脱可能に装着される」ものである点、及び「下面、前記中空針と接続可能なインク供給孔を有する前面を有する」点で一致する。
　
（１０）引用発明１の「突壁（レールの機能を兼ねる第１レール）」は、「前記インクカートリッジ挿入口の前記両内側面に設けられており、前記挿入部側から前記中空針が配置されている側に向かって前記インクカートリッジが前記インクカートリッジ挿入口に装着される際の挿入方向と平行な方向に延びるとともに該両内側面から突出して」いるから、本願発明の「突壁」と、「前記開口部側から前記中空針の位置する側に向かって前記インクカートリッジが前記インクカートリッジ装着部に装着される際のスライド方向と平行な方向に延びる」点及び「インクカートリッジ装着部が備えている」点で一致する。
　
（１１）引用発明１において、「操作片（解除用の山部）」は、インクカートリッジの前面角部で操作されるとともに、前記内側面からインクカートリッジ挿入口内に突出する突出状態と第１レールに沿って挿入されるインクカートリッジの進入に伴って外側に押され前記突出状態よりも内側面側に沈む沈下状態を取りえるものであるから、引用発明１の「操作部（インクカートリッジの前面角部）」と本願発明の「操作部」とは「前記操作片を前記突出状態と前記沈下状態との間で変化させるよう操作する」点及び「インクカートリッジが備えている」点で一致する。
　
（１２）引用発明１において、インクカートリッジは、扁平な直方体であって、その上面及び下面はほぼ正方形であり、その挿入方向に関する前面及び後面と両外側面はほぼ長方形であり、前記ゴム栓から前記下面と平行な方向にずれた位置に第１レールを収容する第１溝を備え、該第１溝は、前記前面及び外側面側に開口しているから、引用発明１の「ガイド用溝（第１溝）」と本願発明の「ガイド用溝」とは「インク供給孔から前記下面と平行な方向にずれた位置に前記突壁を収容する、前記前面に開口した」ものである点及び「インクカートリッジが備えている」点で一致する。
　
（１３）上記（１）ないし（１２）からみて、本願発明と引用発明１とは、
「記録装置本体のインクカートリッジ装着部は、外部に水平方向に開口する開口部、水平方向に延びる底面、天井面及び側面を有し、インクカートリッジのインク供給孔と接続して記録ヘッドにインクを供給する中空針を前記開口部と対向する位置に配置し、さらに、前記中空針を前記開口部に対して開閉可能に覆う針保護板、その針保護板よりも前記開口部側に位置し該針保護板を前記中空針に対向した閉鎖状態にするロック部材を有し、
　前記内周面からインクカートリッジ装着部に突出する突出状態と該突出状態よりも内周面側に沈む沈下状態を取りえるとともに、該沈む状態のときに前記針保護板を開放可能状態にするように前記ロック部材を操作する操作片を前記ロック部材に備え、該操作片を、前記中空針の中心軸線の延長方向から前記底面と平行な方向にずれて前記側面近傍の前記内周面上の位置から前記インクカートリッジ装着部に前記突出状態となるよう突出させ、前記開口部側から前記中空針の位置する側に向かって前記インクカートリッジが前記インクカートリッジ装着部に装着される際のスライド方向と平行な方向に延びる突壁を備えており、
　前記インクカートリッジ装着部に着脱可能に装着されるインクカートリッジは、下面、前記中空針と接続可能なインク供給孔を有する前面を有し、さらに該インクカートリッジは、前記インク供給孔から前記下面と平行な方向にずれた位置に前記突壁を収容する、前記前面に開口したガイド用溝を備え、前記操作片を前記突出状態と前記沈下状態との間で変化させるよう操作する操作部を設けた、記録装置。」である点で一致し、次の点で相違する。
　
相違点１：
　本願発明では、前記操作片がインクカートリッジ装着部に突出する箇所が「底面」であり、該突出状態よりも沈む側が「底面」側であり、前記操作片を突出させる位置が「底面上」であるのに対して、
　引用発明１では、前記操作片をインクカートリッジ装着部に突出する箇所が「側面（内側面）」であり、該突出状態よりも沈む側が「側面（内側面）」側であり、前記操作片は「側面（内側面）」から突出するので前記操作片を突出させる位置は「側面（内側面）上」である点。
　
相違点２：
　本願発明では、前記「突壁」が「前記操作片と前記針保護板との間に位置するように」備えられており、その備えられている箇所が「前記操作片をその近傍の前記側面との間に挟む位置における前記底面」であり、前記「ガイド用溝」が「下面側」にも開口しており、前記「操作部」を設ける箇所が「前記前面側からみて、前記ガイド用溝から前記ずれた方向に隣接した位置」であり、前記「下面」が「前記底面に当接して前記開口部から前記中空針の位置する側に滑らせることが可能な」ものであるのに対して、
　引用発明１では、前記「突壁」は、そのように位置しておらず、かつ前記底面には備えられておらず、前記「ガイド用溝」は「下面」には開口しておらず、前記「操作部」が設けられている箇所は、前記前面側からみて、前記ガイド用溝からずれておらず、前記「下面」が前記インクカートリッジ装着部の面に当接するかどうか不明な点。
　
相違点３：
　前記ロック部材に前記操作片を備える箇所が、本願発明では、ロック部材の「端部」であるのに対して、引用発明１ではそうではない点。
　
５　判断
　上記相違点１ないし３について検討する。
（１）相違点１及び２について
　ア　引用例１には上記３（２）に記載したとおりの引用発明２が記載されており、引用例２には上記３（３）に記載したとおりの引用発明３が記載されている。
　
　イ　滑動部材をガイド部材上で滑動させる技術事項において、滑動部材の下面にガイド溝を設けるとともにガイド部材の上面にガイドレールを設け、滑動部材が滑動する際の滑動位置及び滑動方向を制限することは慣用技術であり、その際に、ガイドレールの高さがガイド溝の深さより浅く、滑動部材の下面及びガイド部材の上面が滑動するものは本願出願前に周知である（以下「周知技術」という。例．実願昭５０−１４８２０５号（実開昭５２−６１６２３号）のマイクロフィルム（３頁９〜１１行、第１図ないし第４図の記載参照。）、特開平１−１１０４３６号公報（３頁左上欄１２〜１７行、第６図及び第９図の記載参照。第６図及び第９図から「カセットケース２の底板２ａの下面（「滑動部材の下面」に相当する。）が、カセットケース受け台５（第９図の右端の「６」は「５」の明らかな誤記である。「ガイド部材」に相当する。）の上面に接触している」ことが見て取れる。））。
　
　ウ　引用発明２は、引用発明１の「インクジェット記録装置」を従来のインクジェット記録装置の１つとして、これを、カラー化し、それに伴ない記録ヘッドを４個設け、４個設けた記録ヘッドに合わせて４個のインクカートリッジを搭載し、装置本体側のインク受入れ口である中空針も４個にし、インクカートリッジを４個にするのに伴ってインクカートリッジ挿入口の前記挿入部間口を増大するとともに４つの個別挿入口に区分するとともに、その際に、インクカートリッジ挿入口に単一の防護壁を設ける方法では、４個にした中空針の危険防止にならないことが多く、前記インク供給用の中空針の先端が使用者の指先などに触れやすい傾向になるので、装置本体側に４個設けたインク供給用の中空針の近傍に、それぞれ、前記針保護部材を設置して合計４個にし、いずれかのインクカートリッジの抜き取り時には、対応する針保護部材を突出させて、対応する中空針の先端を保護することにより、インクカートリッジの挿入個数にかかわらず、中空針の先端を保護し、使用者の危険を無くすことを目的としたものであって、外側の個別挿入口の内側の端部及び内側の個別挿入口の両端部の内側面は区分されただけであるから内側面を構成する壁はないので、前記第１レールを設ける箇所を各個別挿入口の底面に変更し、前記針保護部材よりも前記挿入部側に位置する第１レールの機能からレールの機能を分離して、引用発明１における「第１レール」に代えて、「ロック用の爪（爪部）を備え、インクカートリッジ挿入口（個別挿入口）において針保護部材を中空針に対向した閉位置にロックする、インクカートリッジの脱着に連動するロック部材」及び「分離したレールの機能を有する第２レール部材」を採用するとともに、該「ロック部材のロック用の爪」で、「各針保護部材を、インクカートリッジの脱着に連動してロックでき、インクカートリッジの挿入時には、対応する針保護部材を解除する構成」にすることにより、インクカートリッジの挿入個数にかかわらず、各中空針の先端が保護され、使用者の指等が各中空針に触れることを無くすので、各中空針の先端を保護して使用者の危険を無くすことができ、しかも、インクカートリッジのインク流出口となるゴム栓は、対応する中空針に対して直進しながら直角に刺さるように挿入時のインクカートリッジの姿勢が制御され、容易かつ正確な装着を実現し得るように、各「インクカートリッジの下面」を、「第３レール及び第３レールの両側の底が平坦でそれぞれ側面側に開放された溝から構成」し、各個別挿入口の底面に設けた「第２レール部材」で「インクカートリッジの両溝の平坦部分を支持し、第２レール部材とその内側の底面との段差によってインクカートリッジの第３レールを規制することによりインクカートリッジのゴム栓１２が対応する中空針に対して直進しながら直角に刺さるようにインクカートリッジを案内する」ようにしたものであるといえる。
　
　エ　引用発明３は、インクカートリッジ装着部（インクカートリッジ保持装置）に設けた２つの案内レール（２つのガイドレール状の厚肉部）の間のガイド溝の底面（ガイド溝６０１の底面であるガイド部材の薄肉部表面）からインクカートリッジ装着部に突出する突出状態と該突出状態よりも底面側に沈む沈下状態を取りえるとともに、該沈む状態のときに針保護板（インクカートリッジ８がない時にインクカートリッジ保持装置の内部に固定されたインク供給針に手が触れるのを防止するための蓋２）を開放可能状態にするようにロック部材（ロックアーム７）を操作する操作片（ロックアーム７の傾斜面７０３を備えた先端突起７０１）を前記ロック部材に備え、該操作片を前記ガイド溝の底面上の位置から前記インクカートリッジ装着部に前記突出状態となるよう突出させるようになっているものといえる。
　
　オ　上記アないしエからして、引用発明１のインクジェット記録装置において、これをカラー化するために、記録ヘッドを４個設け、インクカートリッジを４個搭載し、中空針も４個にし、各中空針は、挿入部間口を増大したインクカートリッジ挿入口を４つに区分して４つ設けた個別挿入口のそれぞれに設け、中空針の近傍に、それぞれ、針保護部材を設置し、外側の個別挿入口の内側の端部及び内側の個別挿入口の両端部の内側面は区切られるだけであるから、内側面を構成する壁がないので、引用発明２と同様に、引用発明１の第１レールからレール機能を分離して残ったロック機能を有するロック部材及び新たに設ける分離したレール機能を有する第２レール部材を内側面でなく底面に設けることにし、レールの機能を有する第２レール部材として「第１案内レール」及び「第２案内レール」とを設け、この第１及び第２案内レールによりそれらの間に「第２溝」を形成して引用発明３と同様の構造にするとともに、各インクカートリッジの下面に、この「第１案内レール」、「第２案内レール」及び「第２溝」にそれぞれ対応するように、「第３溝」及び「第４溝」を形成し、かつ、第３及び第４溝を形成することによりそれらの間に「第３案内レール」を形成し、その際周知技術と同様に第１案内レール及び第２案内レールの高さが第３及び第４溝の深さより浅くなるようにするとともに、各個別挿入口の両端部における底面の「第２溝」の位置に、レール機能を分離して残ったロック機能を有するロック部材として、「『操作片（解除用の山部）』及びロック用の爪を備え、針保護部材を中空針に対向した閉位置にロックするとともにインクカートリッジの脱着に連動するロック部材」を、引用発明３と同様に外側から設け、該ロック部材のロック用の爪で、各針保護部材を、インクカートリッジの脱着に連動してロックでき、インクカートリッジの挿入時には、対応する針保護部材を解除する構成にし、各個別挿入口の底面に設けた「第１及び第２案内レール」でインクカートリッジの「第３案内レール」を規制することによりインクカートリッジが対応する中空針に対して直進するようにインクカートリッジを案内し、第１及び第２案内レールが設けられている個別挿入口の底面にインクカートリッジの第３溝及び第４溝が形成されている下面を当接して個別挿入口の挿入部から中空針の位置する側に滑らせることを可能になし、前記「操作片（解除用の山部）」を、前記「第２溝」となった箇所の底面から個別挿入口に突出する突出状態と該突出状態よりも底面側に沈む沈下状態を取りえるとともに、該沈む状態のときに針保護部材を開放可能状態にするように前記ロック部材を前記「操作片（解除用の山部）」で操作できるようにするために、前記「操作片（解除用の山部）」を各個別挿入口の底面上の位置から前記個別挿入口に前記突出状態となるよう突出するようにすることは、当業者が引用発明２、引用発明３及び周知技術に基づいて容易に想到することができた程度のことである。
　その結果、前記「操作片（解除用の山部）」を、その近傍の「側面（内側面）」との間に挟む位置における「第２溝」の底になる底面に、前記「操作片（解除用の山部）」と前記「針保護板（針保護部材）」との間に位置するように前記「開口部（挿入部）」側から前記「中空針」の位置する側に向かって「インクカートリッジ」が「インクカートリッジ装着部（個別挿入口）」に装着される際の挿入方向と平行な方向に延びる「第１及び第２案内レールのうちの内側のもの」を備えることになり、前記「インクカートリッジ」は、「第１及び第２案内レールのうちの内側のもの」を収容する、前面及び下面側に開口した「第３及び第４溝のうちの内側のもの（本願発明の「ガイド用溝」に相当する。）」を、前記「インク供給孔（ゴム栓）」から下面と平行な方向にずれた位置に備えることになり、前記「操作部（解除用の山部を操作するインクカートリッジの前面角部）」は、「インクカートリッジ」の前面側からみて、前記「ガイド用溝（第３及び第４溝のうちの内側のもの）」から前記「ずれた」方向に隣接した位置に設けられることになるから、引用発明１において、上記相違点１及び２に係る本願発明の構成となすことは、当業者が引用発明２、引用発明３及び周知技術に基づいて容易になし得た程度のことである。
　
（２）相違点３について
　上記（１）オにおいて、針保護部材をロックするロック部材を、各個別挿入口の両端部における底面の第２溝の位置に、前記底面の外側から設ける際に、該ロック部材を一体化して幅の大きな１つのものとすることにより、ロック部材を強固にしたり、一端部に解除用の山部を設けただけでも両端部に設けたロック用の爪を動かせるようにしたりすること、すなわち、引用発明１において、上記相違点３に係る本願発明の構成となすことは、当業者が引用発明２及び引用発明３に基づいて適宜なし得た程度のことである。
　
（３）効果について
　本願発明の奏する効果は、引用発明１の奏する効果、引用発明２の奏する効果、引用発明３の奏する効果及び周知技術の奏する効果から当業者が予測できた程度のものである。
　
（４）まとめ
　以上のとおりであるから、本願発明は、当業者が引用例１に記載された発明、引用例２に記載された発明及び周知技術に基づいて容易に発明をすることができたものである。
　
６　むすび 
　本願発明は、当業者が引用例１に記載された発明、引用例２に記載された発明及び周知技術に基づいて容易に発明をすることができたものであるから、特許法第２９条第２項の規定により特許を受けることができない。
　よって、結論のとおり審決する。